(57)【要約】      （修正有）【課題】タッチ入力装置の検出感度を向上させる。【解決手段】タッチ入力装置Ｔは、第１高さ位置でＸ−Ｘ’方向に間隔をあけて配置された第１電極１００ａと、第２高さ位置でＹ−Ｙ’方向に間隔をあけて配置された第２電極１００ｂと、第２高さ位置で第２電極１００ｂ間に各々配置されたグランド電極２００ｂとを備えている。各第２電極１００ｂにおいて、幅広部１１０ｂはＸ−Ｘ’方向に間隔をあけて配置され、幅狭部１２０ｂは隣り合う幅広部１１０ｂ間を各々接続し且つ第１電極１００ａの第１重畳部１１１ａに各々重なっている。各グランド電極２００ｂにおいて、第１部２１０ｂは隣り合う第２電極１００ｂの幅広部１１０ｂ間に間隙を各々有して配置され、第２部２２０ｂは隣り合う第２電極１００ｂの幅狭部１２０ｂ間に間隙を各々有して配置され且つ第１電極１００ａの第２重畳部１１２ａに各々重なっている。【選択図】図１Ａ
2018072915.tif 000002
【特許請求の範囲】
【請求項１】
第１高さ位置で第１方向に間隔をあけて配置された複数の第１電極と、
前記第１高さ位置と異なる第２高さ位置で前記第１電極に交差するように前記第１方向に交差する第２方向に間隔をあけて配置された複数の第２電極と、
前記第２高さ位置で前記第１電極に交差するように前記第２電極間に各々配置された複数のグランド電極とを備えており、
前記第１電極は、複数の第１重畳部と、複数の第２重畳部とを各々有しており、
前記第２電極は、複数の幅広部と、前記幅広部の前記第２方向の寸法よりも小さい前記第２方向の寸法を有する複数の幅狭部とを各々有しており、前記第２電極の各々において、前記幅広部は、前記第２高さ位置で前記第１方向に間隔をあけて配置され、且つ前記第１方向で隣り合う幅広部を複数組含んでおり、前記幅狭部は、前記第２高さ位置で前記隣り合う幅広部間を各々接続し且つ前記第１電極の前記第１重畳部に各々重なっており、
前記第２電極は、前記第２方向で隣り合う第２電極を複数組含み、
前記グランド電極は、前記第２高さ位置で前記隣り合う第２電極の前記幅広部間に僅かな間隙を各々有して配置された複数の第１部と、
前記第２高さ位置で前記隣り合う第２電極の前記幅狭部間に僅かな間隙を各々有して配置されており且つ前記第１電極の前記第２重畳部に各々重なっている複数の第２部とを各々有しているタッチ入力装置。
【請求項２】
請求項１記載のタッチ入力装置において、
前記グランド電極の各々において、前記第１部は、前記第１方向で隣り合う第１部を複数組含み、前記第２部は前記隣り合う第１部間を各々接続しており、
前記グランド電極はグランド接続されるタッチ入力装置。
【請求項３】
請求項２記載の入タッチ力装置において、
前記第２電極および前記グランド電極の周りに配置されており且つ前記グランド電極に接続された周辺グランド電極をさらに備えているタッチ入力装置。
【請求項４】
請求項１〜３の何れかに記載のタッチ入力装置において、
前記第１電極は、前記第１重畳部および前記第２重畳部を有しており且つ前記第１高さ位置で前記第２方向に延びた電極本体と、
前記第１高さ位置で前記電極本体の前記第１重畳部から当該第１重畳部の隣の前記第２電極の一部に各々重なるように延びた複数の第１枝部とを各々有しているタッチ入力装置。
【請求項５】
請求項１〜３の何れかに記載のタッチ入力装置において、
前記第１電極は、前記第１重畳部および前記第２重畳部を有しており且つ前記第１高さ位置で前記第２方向に延びた電極本体と、
前記第１高さ位置で前記電極本体の前記第２重畳部から当該第２重畳部の隣で前記第２方向において隣り合う前記幅広部間に各々位置するように延びた複数の第２枝部とを各々有しているタッチ入力装置。
【請求項６】
請求項１〜５の何れかに記載のタッチ入力装置において、
前記グランド電極の前記第２部の前記第１方向の寸法が、前記第１電極の前記第１方向の寸法よりも大きいタッチ入力装置。
【請求項７】
請求項５記載のタッチ入力装置において、
前記第１電極の前記第２枝部が前記グランド電極の前記第１部に各々重なっており、
前記グランド電極の前記第１部の前記第２方向の寸法が、前記第１電極の前記第２枝部の前記第２方向の寸法よりも大きいタッチ入力装置。
【請求項８】
請求項１〜７の何れかに記載のタッチ入力装置において、
前記第１電極は、前記第１方向で隣り合う第１電極を複数組含み、
前記タッチ入力装置は、前記第１高さ位置で、前記隣り合う第１電極間に間隙を有して配置された複数のダミー電極をさらに備えているタッチ入力装置。
【請求項９】
請求項１〜８の何れかに記載のタッチ入力装置において、
交差する前記第１電極および前記第２電極の各々の静電容量値は、０.１ｐＦ〜５ｐＦであるタッチ入力装置。
【発明の詳細な説明】
【技術分野】
【０００１】
本発明は、タッチ入力装置に関する。
【背景技術】
【０００２】
従来の静電容量型のタッチ入力装置は特許文献１に記載されている。このタッチ入力装置は、第１高さ位置で間隔をあけて配置された複数の第１電極と、第２高さ位置で第１電極に交差するように間隔をあけて配置された複数の第２電極とを備えている。第１高さ位置と第２高さ位置とは異なる高さ位置である。
【先行技術文献】
【特許文献】
【０００３】
【特許文献１】ＵＳ２００８／０３０９６３３号公報
【発明の概要】
【発明が解決しようとする課題】
【０００４】
第１電極と第２電極は、互いに交差する箇所で静電結合される。各交差箇所に指やタッチペンなどの検出対象が接近すると、各交差箇所の静電容量が変化する。この静電容量の変化に応じて、当該交差箇所の第２電極の出力信号が変化する。第２電極には検出ＩＣが電気的に接続される。検出ＩＣは、第２電極の出力信号を増幅し、当該出力信号の値が閾値を超えるか否かを判断する。
【０００５】
タッチ入力装置の検出感度を向上させるために、検出ＩＣによって第２電極の出力信号を大きく増幅させると、検出ＩＣの上限値を超えてしまう。
【０００６】
本発明は、上記事情に鑑みて創案されたものであって、その目的とするところは、検出感度を向上させることができるタッチ入力装置を提供することにある。
【課題を解決するための手段】
【０００７】
上記課題を解決するために、本発明の一態様のタッチ入力装置は、複数の第１電極と、複数の第２電極と、複数のグランド電極とを備えている。複数の第１電極は、第１高さ位置で第１方向に間隔をあけて配置されている。第１電極は、複数の第１重畳部と、複数の第２重畳部とを各々有している。第２電極は、第２高さ位置で第１電極に交差するように第２方向に間隔をあけて配置されている。第２高さ位置は、第１高さ位置と異なる高さ位置であり、第２方向は第１方向に交差している。第２電極は、複数の幅広部と、幅広部の第２方向の寸法よりも小さい第２方向の寸法を有する複数の幅狭部とを各々有している。第２電極の各々において、幅広部は、第２高さ位置で第１方向に間隔をあけて配置され、且つ第１方向で隣り合う幅広部を複数組含んでおり、幅狭部は、第２高さ位置で隣り合う幅広部間を各々接続し且つ第１電極の第１重畳部に各々重なっている。第２電極は、第２方向で隣り合う第２電極を複数組含んでいる。グランド電極は、第２高さ位置で第１電極に交差するように第２電極の間に各々配置されている。グランド電極は、複数の第１部および複数の第２部を各々有している。グランド電極の各々において、第１部は、第２高さ位置で隣り合う第２電極の幅広部間に僅かな間隙を各々有して配置されており、第２部は、第２高さ位置で隣り合う第２電極の幅狭部間に僅かな間隙を各々有して配置されており且つ第１電極の第２重畳部に各々重なっている。
【０００８】
このような態様のタッチ入力装置は、検出感度を向上させることができる。その理由は以下の通りである。１）第２電極の幅狭部が第１電極の第１重畳部に各々重なっているので、両者の重なり面積が小さい。この１）によって、交差する第１電極と第２電極との各々の静電容量値を小さくすることができるので、第１、第２電極の一方の電極の出力信号が、検出部に入力され、検出部によって増幅されたとしても、増幅された信号が検出部の上限値を超える可能性を低減することができる。よって、一方の電極の出力信号を大きく増幅させることが可能になるので、本タッチ入力装置の感度を向上させることが可能になる。
【０００９】
グランド電極の各々において、第１部は、第１方向で隣り合う第１部を複数組含み、第２部は、隣り合う第１部間を各々接続した構成とすることが可能である。グランド電極はグランド接続されるようになっていると良い。このような態様のタッチ入力装置による場合、２）グランド電極の第２部が隣り合う第２電極の幅狭部間で第１電極の第２重畳部に各々重なっているため、グランド電極の第２部によって、第１電極の第２重畳部と第２電極の幅狭部との何れか一方から生じる電気力線を吸収することができる。これによっても、交差する第１電極と第２電極との各々の静電容量値を小さくすることができる。
【００１０】
上記した何れかの態様のタッチ入力装置は、周辺グランド電極をさらに備えた構成とすることが可能である。周辺グランド電極は、第２電極およびグランド電極の周りに配置されており且つグランド電極に接続された構成とすることが可能である。このような態様のタッチ入力装置による場合、グランド電極を周辺グランド電極を介して容易にグランド接続することができる。
【００１１】
第１電極は、電極本体と、複数の第１枝部とを各々有する構成とすることが可能である。電極本体は、第１重畳部および第２重畳部を有しており且つ第１高さ位置で第２方向に延びた構成とすることが可能である。第１枝部は、第１高さ位置で電極本体の第１重畳部から当該第１重畳部の隣の第２電極の一部に各々重なるように延びた構成とすることが可能である。
【００１２】
上記１）、又は、上記１）および２）によって、第１電極と第２電極との静電容量値が小さくなりすぎる場合がある。前述の態様のタッチ入力装置による場合、第１枝部が第２電極の一部に各々重なっているので、交差する第１電極と第２電極との各々の重なり面積が大きくなり、当該第１電極と第２電極との各々の静電容量値を大きくすることができる。そのため、第１枝部により、交差する第１電極と第２電極との各々の静電容量値を所望の値に設定可能になる。
【００１３】
第１電極は、複数の第１枝部に代えて複数の第２枝部を有する構成、又は複数の第２枝部をさらに有する構成とすることが可能である。第２枝部は、第１高さ位置で電極本体の第２重畳部から当該第２重畳部の隣で第２方向において隣り合う幅広部間に各々位置するように延びた構成とすることが可能である。
【００１４】
このような態様のタッチ入力装置による場合、第２枝部が隣り合う幅広部間に各々位置しているので、第２枝部が幅広部と各々静電結合可能となる。よって、第２枝部付近の検出感度を向上させることができる。
【００１５】
グランド電極の第２部の第１方向の寸法が、第１電極の第１方向の寸法よりも大きくすることが可能である。このような態様のタッチ入力装置による場合、上記寸法を有するグランド電極の第２部が、第１電極の第２重畳部に各々重なっているため、グランド電極側からの第１電極に対する電磁的な干渉が低減される。
【００１６】
第１電極の第２枝部がグランド電極の第１部に各々重なっていても良い。この場合、グランド電極の第１部の第２方向の寸法が、第１電極の第２枝部の第２方向の寸法よりも大きくすることが可能である。このような態様のタッチ入力装置による場合、上記寸法を有するグランド電極の第１部が、第１電極の第２枝部に各々重なっているため、グランド電極側からの第１電極に対する電磁的な干渉が低減される。
【００１７】
第１電極は、第１方向で隣り合う第１電極を複数組含むようにすることが可能である。上記した何れかの態様のタッチ入力装置は、複数のダミー電極をさらに備えた構成とすることが可能である。ダミー電極は、第１高さ位置で、隣り合う第１電極間に間隙を有して配置された構成とすることが可能である。このような態様のタッチ入力装置による場合、ダミー電極が、第２電極に部分的に重なるため、ダミー電極側からの第２電極に対する電磁的な干渉が低減される。
【００１８】
交差する第１電極および第２電極の各々の静電容量値は０.１ｐＦ〜５ｐＦとすることが可能である。
【図面の簡単な説明】
【００１９】
【図１Ａ】本発明の実施例１に係るタッチ入力装置の概略的拡大平面図であって、周辺グランド電極を除去した図である。
【図１Ｂ】前記実施例１に係るタッチ入力装置の図１Ａ中の１Ｂ−１Ｂ拡大断面図であって、当該タッチ入力装置および画像表示装置との位置関係を説明するための図である。
【図１Ｃ】前記実施例１に係るタッチ入力装置の図１Ａ中の１Ｃ−１Ｃ拡大断面図であって、当該タッチ入力装置および画像表示装置との位置関係を説明するための図である。
【図２Ａ】前記実施例１に係るタッチ入力装置の第１基材の概略的拡大平面図であって、第１基材上の複数の第１電極、複数の第１引き出し線および周辺グランド電極の位置関係を説明するための図である。
【図２Ｂ】前記実施例１に係るタッチ入力装置の第２基材の概略的拡大平面図であって、第２基材上の複数の第２電極、複数のグランド電極、複数の第２引き出し線および周辺グランド電極の位置関係を説明するための説明図である。
【図３】前記実施例１に係るタッチ入力装置の設計変形例の図２Ａに対応する図であって、第１基材上の複数の第１電極、複数の第１引き出し線、ダミー電極および周辺グランド電極の位置関係を説明するための説明図である。
【発明を実施するための形態】
【００２０】
以下、本発明の実施例１を含む複数の実施例に係る静電容量型タッチ入力装置Ｔ（以下、単に、タッチ入力装置Ｔとも称する。）ついて図１Ａ〜図３を参照しつつ説明する。なお、図１Ａ〜図２Ｂには、実施例１に係るタッチ入力装置Ｔが示されている。図３には、実施例１に係るタッチ入力装置Ｔの設計変形例が示されている。なお、図１Ａおよび図２Ａ〜図２Ｂには、タッチ入力装置Ｔの第１電極１００ａの配列方向であり且つ特許請求の範囲の第１方向に相当するＸ−Ｘ’方向が示されている。Ｘ−Ｘ’方向のうちのＸ方向が第１方向の一方に相当し、Ｘ’方向が第１方向の他方に相当する。図１Ａ〜図２Ｂには、タッチ入力装置Ｔの第２電極１００ｂの配列方向であり且つ特許請求の範囲の第２方向に相当するＹ−Ｙ’方向が示されている。Ｙ−Ｙ’方向はＸ−Ｘ’方向に交差又は図１Ａ〜図２Ｂに示されるように直交している。図１Ｂおよび図１Ｃには、タッチ入力装置Ｔの厚み方向であるＺ−Ｚ’方向が示されている。Ｚ−Ｚ’方向はＸ−Ｘ’方向およびＹ−Ｙ’方向に直交している。
【００２１】
タッチ入力装置Ｔは、画像表示装置ＤのＺ方向側（光の照射側）に配置可能である。タッチ入力装置Ｔは、複数の第１電極１００ａと、複数の第２電極１００ｂと、複数のグランド電極２００ｂとを備えている。第１電極１００ａおよび第２電極１００ｂの何れか一方が駆動電極（Ｒｘ電極）であり、他方が検出電極（Ｔｘ電極）である。図１Ａ〜図３では、第１電極１００ａが検出電極（Ｒｘ電極）であり、第２電極１００ｂが駆動電極（Ｔｘ電極）である。なお、図１Ａ〜図２Ｂでは、第１電極１００ａ、第２電極１００ｂおよびグランド電極２００ｂにドットを付して区別しやすくしているが、現実に第１電極１００ａ、第２電極１００ｂおよびグランド電極２００ｂにドットが付されているわけではないので留意されたい。
【００２２】
第１電極１００ａ、第２電極１００ｂおよびグランド電極２００ｂは、透明導電膜又は導体である。前記透明導電膜は、例えば、ＩＴＯ（酸化インジウム＋酸化錫）、ＣＮＴ（カーボンナノチューブ）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成可能である。前記導体は、例えば、感光性銀、銀ナノインク、銀ナノワイヤ、蒸着銅、圧延銅又は銅ナノインク等とすることが可能である。
【００２３】
第１電極１００ａは、第１高さ位置でＸ−Ｘ’方向に間隔をあけて配置されている。第１電極１００ａは、Ｘ−Ｘ’方向で隣り合う第１電極１００ａを複数組含む。第２電極１００ｂは、第２高さ位置で第１電極１００ａに交差するようにＹ−Ｙ’方向に間隔をあけて配置されている。第２電極１００ｂは、Ｙ−Ｙ’方向で隣り合う第２電極１００ｂを複数組含む。グランド電極２００ｂは、第２高さ位置で第１電極１００ａに交差するように第２電極１００ｂ間に僅かな間隙を有して各々配置されている。第１高さ位置および第２高さ位置はＺ−Ｚ’方向で互いに異なる高さ位置とすることが可能である。図１Ｂ〜図１Ｃでは、第１高さ位置は、第２高さ位置よりもＺ方向側に位置しているが、これに限定されることはない。
【００２４】
第１電極１００ａ、第２電極１００ｂおよびグランド電極２００ｂの上記配置を実現するために、タッチ入力装置Ｔは、以下の１）〜３）の何れかの構成とすることが可能である。
【００２５】
１）タッチ入力装置Ｔは、図１Ｂ〜図１Ｃに示されるように、第１基材３００ａおよび第２基材３００ｂをさらに備えた構成とすることが可能である。第１基材３００ａおよび第２基材３００ｂは、ガラス基板又は樹脂フィルムである。第１基材３００ａおよび第２基材３００ｂは、第１基材３００ａおよび第２基材３００ｂを通じて画像表示装置Ｄの表示を視認可能となる程度の透明性を有している。第１基材３００ａおよび第２基材３００ｂは、部分的に透明であっても良いし、全体的に透明であっても良い。第１電極１００ａは、図２Ａに示されるように、第１基材３００ａの第１面上にＸ−Ｘ’方向に間隔をあけて配置されている。第２電極１００ｂは、図２Ｂに示されるように、第２基材３００ｂの第１面上にＹ−Ｙ’方向に間隔をあけて配置されている。グランド電極２００ｂは第２基材３００ｂの第１面上に第２電極１００ｂ間に僅かな間隙を有して配置されている。第１基材３００ａの第２面と第２基材３００ｂの第１面とが粘着層７００で貼り合わされている。これにより、第１電極１００ａと、第２電極１００ｂおよびグランド電極２００ｂとが交差している。この場合、第１基材３００ａの第１面の平面位置が第１高さ位置に位置し、第２基材３００ｂの第１面の平面位置が第２高さ位置に位置している。なお、第１基材３００ａの第１面上には、第１電極１００ａを覆うようにカバーパネルＰが別の粘着層７００で貼り付けられていても良い。
【００２６】
２）タッチ入力装置Ｔは、第１基材３００ａをさらに備えた構成とすることが可能である。第１基材３００ａおよび第１電極１００ａは上記１）のとおりである。第２電極１００ｂは第１電極１００ａに交差するように第１基材３００ａの第２面上にＹ−Ｙ’方向に間隔をあけて配置されている。グランド電極２００ｂは第１電極１００ａに交差するように第１基材３００ａの第２面上に第２電極１００ｂ間に僅かな間隙を有して配置されている。この場合、第１基材３００ａの第１面の平面位置が第１高さ位置に位置し、第１基材３００ａの第２面の平面位置が第２高さ位置に位置している。なお、第１基材３００ａの第１面上には、第１電極１００ａを覆うようにカバーパネルＰが別の粘着層７００で貼り付けられていても良い。
【００２７】
３）タッチ入力装置Ｔは、第２基材３００ｂおよび図示しない絶縁層をさらに備えた構成とすることが可能である。第２基材３００ｂ、第２電極１００ｂおよびグランド電極２００ｂは、上記１）のとおりである。絶縁層は、第２電極１００ｂおよびグランド電極２００ｂを覆うように第２基材３００ｂの第１面上に設けられている。第１電極１００ａが、第２電極１００ｂおよびグランド電極２００ｂに交差するように絶縁層のＺ方向の面上にＸ−Ｘ’方向に間隔をあけて配置されている。この場合、絶縁層のＺ方向の面の平面位置が第１高さ位置に位置し、第２基材３００ｂの第１面の平面位置が第２高さ位置に位置している。なお、第２基材３００ｂの第１面上には、第１電極１００ａ、第２電極１００ｂ、グランド電極２００ｂおよび絶縁層を覆うようにカバーパネルＰが別の粘着層７００で貼り付けられていても良い。なお、上記したカバーパネルＰは省略可能である。
【００２８】
第１電極１００ａは、Ｙ−Ｙ’方向に延びた電極本体１１０ａを各々有している。電極本体１１０ａは帯状とすることが可能である。電極本体１１０ａは、複数の第１重畳部１１１ａと、第１重畳部１１１ａ間に位置する複数の第２重畳部１１２ａとを各々有している。
【００２９】
第２電極１００ｂは、複数の幅広部１１０ｂと、この幅広部１１０ｂのＹ−Ｙ’方向の寸法よりも小さいＹ−Ｙ’方向の寸法を各々有する複数の幅狭部１２０ｂとを各々有している。幅広部１１０ｂの外形は、任意であるが、例えば、多角形（図１Ａ〜図３では、矩形状）又は円形とすることが可能である。第２電極１００ｂの各々において、幅広部１１０ｂは、第２高さ位置でＸ−Ｘ’方向に間隔をあけて各々配置され、且つＸ−Ｘ’方向で隣り合う幅広部１１０ｂを複数組含んでいる。この幅広部１１０ｂは、Ｚ−Ｚ’方向において電極本体１１０ａに各々重ならない。
【００３０】
第２電極１００ｂの各々において、幅狭部１２０ｂは、第２高さ位置で隣り合う幅広部１１０ｂ間を各々接続し且つＺ−Ｚ’方向において第１電極１００ａの電極本体１１０ａの第１重畳部１１１ａに各々重なっている。幅狭部１２０ｂが第１重畳部１１１ａに各々重なることで、両者が各々静電結合可能となるが、第１重畳部１１１ａと幅狭部１２０ｂとの各々の重なり面積は小さくなるため、交差する第１電極１００ａと第２電極１００ｂとの各々の静電容量値が小さくなる。幅狭部１２０ｂのＸ−Ｘ’方向の寸法は、第１電極１００ａの電極本体１１０ａのＸ−Ｘ’方向の寸法よりも大きくすることが可能である。例えば、幅狭部１２０ｂのＸ−Ｘ’方向の寸法は、電極本体１１０ａのＸ−Ｘ’方向の寸法よりも３０μｍ以上大きくすることが可能である。
【００３１】
また、第２電極１００ｂの各々において、幅広部１１０ｂは、複数の第１幅広部１１１ｂと、複数の第２幅広部１１２ｂとを含み、第１幅広部１１１ｂおよび第２幅広部１１２ｂは、第２高さ位置でＸ−Ｘ’方向に間隔をあけて交互に配置されると共に、Ｙ−Ｙ’方向に千鳥配置される構成とすることが可能である。より具体的には、以下の通りである。第１幅広部１１１ｂは、Ｙ方向側の第１領域と、Ｙ’方向側の第２領域とを各々有し、第２幅広部１１２ｂは、Ｙ’方向側の第１領域と、Ｙ方向側の第２領域とを各々有している。第２電極１００ｂの各々において、第１幅広部１１１ｂの第２領域と第２幅広部１１２ｂの第２領域とが、Ｘ−Ｘ’方向において重なっており、且つ幅狭部１２０ｂは、第２高さ位置で第１幅広部１１１ｂの第２領域と第２幅広部１１２ｂの第２領域との間を各々接続していると良い。上記隣り合う第２電極１００ｂは、一方の第２電極１００ｂおよび他方の第２電極１００ｂを含む。一方の第２電極１００ｂの第１幅広部１１１ｂの第１領域と、他方の第２電極１００ｂの第２幅広部１１２ｂの第１領域とがＸ−Ｘ’方向において互いに重なっていても良い。なお、幅広部１１０ｂは第１幅広部１１１ｂおよび第２幅広部１１２ｂを含まない構成とすることが可能である。すなわち、第２電極１００ｂの各々において、幅広部１１０ｂがＸ−Ｘ’方向において直線状に間隔をあけて一列で並べられていても良い。
【００３２】
上記隣り合う第２電極１００ｂ間には、複数の第１空き領域α１および複数の第２空き領域α２が各々設けられている。第１空き領域α１は、上記隣り合う第２電極１００ｂの幅広部１１０ｂ（Ｙ−Ｙ’方向で隣り合う二つの幅広部１１０ｂ）によって各々区画されている。第２空き領域α２は、下記ｉ）又はii）のとおりに区画され、第１電極１００ａの電極本体１１０ａの第２重畳部１１２ａのＺ’方向側に配置される。ｉ）第２空き領域α２は、上記隣り合う第２電極１００ｂの幅狭部１２０ｂ（Ｙ−Ｙ’方向で隣り合う二つの幅狭部１２０ｂ）によって各々区画されている。ii）第２空き領域α２は、前記二つの幅狭部１２０ｂと、Ｘ方向側の二つの幅広部１１０ｂと、Ｘ’方向側の二つの幅広部１１０ｂとによって各々区画されている。Ｘ方向側の二つの幅広部１１０ｂは、前記二つの幅狭部１２０ｂに対してＸ方向側に各々位置し、Ｘ’方向側の二つの幅広部１１０ｂは、前記二つの幅狭部１２０ｂに対してＸ’方向側に各々位置している。以下、Ｘ方向側の二つの幅広部１１０ｂおよびＸ’方向側の二つの幅広部１１０ｂをまとめて四つの幅広部１１０ｂとも称する。
【００３３】
各第２空き領域α２周りの四つの幅広部１１０ｂは、幅狭部１２０ｂに接続される中間部と、中間部よりＹ方向側の第１端部と、中間部よりＹ’方向側の第２端部とを各々有している。四つの幅広部１１０ｂのうちのＸ方向側の二つの幅広部１１０ｂは、Ｙ方向側の幅広部１１０ｂとＹ’方向側の幅広部１１０ｂとを含み、Ｙ方向側の幅広部１１０ｂの第２端部およびＹ’方向側の幅広部１１０ｂの第１端部が、対応する第２空き領域α２のＺ方向側の第１電極１００ａの第２重畳部１１２ａのＸ方向側の隣で、当該第２重畳部１１２ａに沿って各々Ｙ−Ｙ’方向に延びていると良い。この場合、Ｙ方向側の幅広部１１０ｂの第２端部およびＹ’方向側の幅広部１１０ｂの第１端部が、対応する第２重畳部１１２ａに静電結合可能となる。四つの幅広部１１０ｂのうちのＸ’方向側の二つの幅広部１１０ｂは、Ｙ方向側の幅広部１１０ｂとＹ’方向側の幅広部１１０ｂとを含み、Ｙ方向側の幅広部１１０ｂの第２端部およびＹ’方向側の幅広部１１０ｂの第１端部が、対応する第２空き領域α２のＺ方向側の第１電極１００ａの第２重畳部１１２ａのＸ’方向側の隣で、当該第２重畳部１１２ａに沿って各々Ｙ−Ｙ’方向に延びていると良い。この場合、Ｙ方向側の幅広部１１０ｂの第２端部およびＹ’方向側の幅広部１１０ｂの第１端部が、対応する第２重畳部１１２ａに静電結合可能となる。
【００３４】
グランド電極２００ｂは、複数の第１部２１０ｂと、複数の第２部２２０ｂとを各々有している。グランド電極２００ｂの各々において、第１部２１０ｂは、第２高さ位置で第１空き領域α１に各々配置されており、第２部２２０ｂは、第２高さ位置で第２空き領域α２に各々配置されており且つ第１電極１００ａの電極本体１１０ａの第２重畳部１１２ａに各々重なっている。第１部２１０ｂは、第１空き領域α１のＹ方向の幅広部１１０ｂおよび第１空き領域α１のＹ’方向の幅広部１１０ｂに対して各々僅かな間隙を有して配置されている。
【００３５】
第２空き領域α２がｉ）の場合、第２部２２０ｂは、上記二つの幅狭部１２０ｂに対して各々僅かな間隙を有して配置されている。第２空き領域α２が下記ii）の場合、第２部２２０ｂは、上記二つの幅狭部１２０ｂおよび上記四つの幅広部１１０ｂに対して各々僅かな間隙を有して配置されている。
【００３６】
グランド電極２００ｂの各々において、第１部２１０ｂは、Ｘ−Ｘ’方向で隣り合う第１部２１０ｂを複数組含み、且つ第２部２２０ｂは、隣り合う第１部２１０ｂ間を各々接続する構成とすることが可能である。この場合、グランド電極２００ｂは各々グランド接続されていると良いが、これに限定されることはない。すなわち、グランド電極２００ｂは電気的に浮遊していても良い。
【００３７】
グランド電極２００ｂがグランド接続されており、第２部２２０ｂが第２空き領域α２で上記二つの幅狭部１２０ｂに各々僅かな間隙を有して配置され、且つ第２部２２０ｂが第２重畳部１１２ａに各々重なっている場合、第２部２２０ｂは、第２重畳部１１２ａと、上記二つの幅狭部１２０ｂとの何れか一方から生じる電気力線を各々吸収することができる。又は、グランド電極２００ｂがグランド接続されており、第２部２２０ｂが第２空き領域α２で上記二つの幅狭部１２０ｂおよび上記四つの幅広部１１０ｂに各々僅かな間隙を有して配置され、且つ第２部２２０ｂが第２重畳部１１２ａに各々重なっている場合、第２部２２０ｂは、第２重畳部１１２ａと、上記二つの幅狭部１２０ｂおよび上記四つの幅広部１１０ｂとの何れか一方から生じる電気力線を各々吸収することができる。何れの場合も、交差する第１電極１００ａと第２電極１００ｂとの各々の静電容量値が小さくなる。
【００３８】
第１部２１０ｂと隣り合う第２電極１００ｂの幅広部１１０ｂとの間隙は、１０μｍ〜１００μｍとすると良いが、これに限定されることはない。第２部２２０ｂと上記二つの幅狭部１２０ｂとの各間隙は１０μｍ〜１００μｍであり、第２部２２０ｂと上記四つの幅広部１１０ｂとの各間隙は１０μｍ〜１００μｍとすると良いが、これらに限定されることはない。
【００３９】
第２電極１００ｂおよびグランド電極２００ｂが配置される第２高さ位置の第２電極領域の面積のうち、第２電極１００ｂおよびグランド電極２００ｂが占める面積は、９０％〜９９％とすると良い。換言すると、第２高さ位置の第２電極領域の面積のうち、第２電極１００ｂとグランド電極２００ｂとの間の上記間隙が占める面積は、１０％〜１％とすると良い。なお、第２電極領域は、Ｙ方向の最も端の第２電極１００ｂと、Ｙ’方向の最も端の第２電極１００ｂと、第２電極１００ｂのＸ方向の端と、第２電極１００ｂのＸ’方向の端とによって区画することができるが、これはあくまで一例であり、第２電極領域は任意に区画できる。
【００４０】
第１部２１０ｂは、図１Ａおよび図２Ｂに示されるように、幅広部１１０ｂ間でＸ−Ｘ’方向に各々延びていても良い。第２部２２０ｂは、幅狭部１２０ｂ間でＹ−Ｙ’方向に各々延びていても良い。換言すると、第１電極１００ａの電極本体１１０ａの第２重畳部１１２ａに沿って各々延びていても良い。また、第２部２２０ｂのＹ−Ｙ’方向の寸法は、第１部２１０ｂのＹ−Ｙ’方向の寸法よりも大きいと良いが、これに限定されることはない。第２部２２０ｂのＸ−Ｘ’方向の寸法は、第１電極１００ａの電極本体１１０ａのＸ−Ｘ’方向の寸法よりも大きくすることが可能である。例えば、第２部２２０ｂのＸ−Ｘ’方向の寸法は、電極本体１１０ａのＸ−Ｘ’方向の寸法よりも３０μｍ以上大きくすることが可能である。
【００４１】
第１電極１００ａは、複数の第１枝部１２０ａおよび複数の第２枝部１３０ａの少なくとも一方をさらに有する構成とすることが可能である。第１枝部１２０ａは、第１高さ位置で電極本体１１０ａの第１重畳部１１１ａのＸ方向の端およびＸ’方向の端の少なくとも一方からＸ−Ｘ’方向に各々延びている。以下、説明の便宜上、第１重畳部１１１ａのＸ方向の端から延びたＸ方向に第１枝部１２０ａをＸ方向側の第１枝部１２０ａと称し、第１重畳部１１１ａのＸ’方向の端からＸ’方向に延びた第１枝部１２０ａをＸ’方向側の第１枝部１２０ａと称する。
【００４２】
Ｘ方向側の第１枝部１２０ａは、対応する第１重畳部１１１ａのＸ方向の隣の第２電極１００ｂの一部にＺ−Ｚ’方向において各々重なっている。この第２電極１００ｂの一部は、対応する第１重畳部１１１ａが重なる幅狭部１２０ｂの第１重畳部１１１ａよりもＸ方向の部分、又は図１Ａに示されるように当該幅狭部１２０ｂの第１重畳部１１１ａよりもＸ方向の部分およびこれに接続されたＸ方向側の幅広部１１０ｂである。Ｘ’方向側の第１枝部１２０ａは、対応する第１重畳部１１１ａのＸ’方向の隣の第２電極１００ｂの一部にＺ−Ｚ’方向において各々重なっている。この第２電極１００ｂの一部は、対応する第１重畳部１１１ａが重なる幅狭部１２０ｂの第１重畳部１１１ａよりもＸ’方向の部分、又は図１Ａに示されるように当該幅狭部１２０ｂの第１重畳部１１１ａよりもＸ’方向の部分およびこれに接続されたＸ’方向側の幅広部１１０ｂである。
【００４３】
第１枝部１２０ａの各々の長さ（図１Ａおよび図２Ａでは、Ｘ−Ｘ’方向の寸法）および／又は幅（図１Ａおよび図２Ａでは、Ｙ−Ｙ’方向の寸法）を大きくすると、第１電極１００ａとこれに交差する第２電極１００ｂとの各々の重なり面積が大きくなり、これに応じて第１電極１００ａとこれに交差する第２電極１００ｂとの各々の静電容量値が大きくなる。一方、第１枝部１２０ａの各々の長さおよび／又は幅を小さくすると、第１電極１００ａとこれに交差する第２電極１００ｂとの各々の重なり面積が小さくなり、これに応じて第１電極１００ａとこれに交差する第２電極１００ｂとの各々の静電容量値が小さくなる。第１枝部１２０ａの各々の長さおよび／又は幅を調整し、設定することで、交差する第１電極１００ａと第２電極１００ｂとの各々の静電容量値を調整し、所望の値（例えば、０.１ｐＦ〜５ｐＦ）に設定できる。
【００４４】
第２枝部１３０ａは、第１高さ位置で電極本体１１０ａの第２重畳部１１２ａのＸ方向の端およびＸ’方向の端の少なくとも一方からＸ−Ｘ’方向に各々延びている。以下、説明の便宜上、第２重畳部１１２ａのＸ方向の端からＸ方向に延びた第２枝部１３０ａをＸ方向側の第２枝部１３０ａと称し、第２重畳部１１２ａのＸ’方向の端からＸ’方向に延びた第２枝部１３０ａをＸ’方向側の第２枝部１３０ａと称する。
【００４５】
Ｘ方向側の第２枝部１３０ａは、幅広部１１０ｂのうち、当該第２枝部１３０ａが接続された電極本体１１０ａに対してＸ方向側の隣に位置し且つＹ−Ｙ’方向で隣り合う二つの幅広部１１０ｂ間に位置している。Ｘ’方向側の第２枝部１３０ａは、幅広部１１０ｂのうち、当該第２枝部１３０ａが接続された電極本体１１０ａに対してＸ’方向側の隣に位置し且つＹ−Ｙ’方向で隣り合う二つの幅広部１１０ｂ間に位置している。何れの第２枝部１３０ａも、対応する二つの幅広部１１０ｂ間のグランド電極２００ｂの第１部２１０ｂに重なっている。
【００４６】
第２枝部１３０ａは、対応する二つの幅広部１１０ｂ間に各々位置しているため、第２枝部１３０ａと対応する二つの幅広部１１０ｂとが各々静電結合可能となる。第２枝部１３０ａの各々の長さ（図１Ａおよび図２Ｂでは、Ｘ−Ｘ’方向の寸法）および／又は幅（図１Ａおよび図２Ｂでは、Ｙ−Ｙ’方向の寸法）を大きくすると、第２枝部１３０ａと対応する二つの幅広部１１０ｂとの距離が近くなり、その静電結合が強くなる。第２枝部１３０ａの各々の長さおよび／又は幅を小さくすると、第２枝部１３０ａと対応する二つの幅広部１１０ｂとの距離が遠くなり、その静電結合が弱くなる。このように第２枝部１３０ａの各々の長さおよび／又は幅を調整し、設定することで、第２枝部１３０ａ付近の検出感度を向上させることができる。なお、上記した第１枝部１２０ａおよび／又は第２枝部１３０ａは省略可能である。
【００４７】
第１電極１００ａが第２枝部１３０ａを各々有している場合、グランド電極２００ｂの第１部２１０ｂのＹ−Ｙ’方向の寸法は、第２枝部１３０ａのＹ−Ｙ’方向の寸法よりも大きくすることが可能である。例えば、第１部２１０ｂのＹ−Ｙ’方向の寸法は、第２枝部１３０ａのＹ−Ｙ’方向の寸法よりも３０μｍ以上大きくすることが可能である。
【００４８】
タッチ入力装置Ｔは、複数の第１引き出し線４００ａおよび複数の第２引き出し線４００ｂをさらに備えた構成とすることが可能である。第１引き出し線４００ａは、第１高さ位置で第１電極１００ａの電極本体１１０ａに各々接続されている。第１電極１００ａが上記１）又は２）の構成である場合、第１引き出し線４００ａは、第１基材３００ａの第１面上に設けられていると良い。第１電極１００ａが上記３）の構成である場合、第１引き出し線４００ａは、絶縁層のＺ方向の面上に設けられていると良い。第２引き出し線４００ｂは、第２高さ位置で第２電極１００ｂに各々接続されている。第２電極１００ｂが上記１）又は３）の構成である場合、第２引き出し線４００ｂは、第２基材３００ｂの第１面上に設けられていると良い。第２電極１００ｂが上記２）の構成である場合、第２引き出し線４００ｂは、第１基材３００ａの第２面上に設けられていると良い。
【００４９】
第１引き出し線４００ａおよび第２引き出し線４００ｂは、ａ）検出部１０（例えば、検出ＩＣ等）に直接接続される構成、又はｂ）外部接続部２０を介して間接的に接続される構成とすることが可能である。外部接続部２０は、例えば、フレキシブル基板等である。外部接続部２０は、第１引き出し線４００ａに各々接続可能な複数の第１接続ラインと、第２引き出し線４００ｂに各々接続可能な複数の第２接続ラインとを有している。第１接続ラインおよび第２接続ラインが検出部１０に接続される。
【００５０】
検出部１０は、駆動電極に順次駆動パルスを供給し、これに応じて検出電極から順次得られる出力信号（電圧又は電流）を増幅し、増幅した信号（以下、増幅信号）が検出部１０のメモリ内の閾値を超えるか否かについて判断している。上記した第１電極１００ａと第２電極１００ｂとの複数の静電結合箇所の各々に指やタッチペンなどの検出対象が接近（タッチを含む。）すると、当該箇所の静電容量が変化し、当該箇所を有する検出電極の出力信号が変化する。検出部１０は、検出電極の出力信号を増幅し、増幅信号が閾値を超えたと判断したとき、駆動パルスを供給した駆動電極と、出力信号を出力した検出電極との静電結合箇所に検出対象が接近したことを検出する。検出部１０は、駆動電極に順次駆動パルスを供給するとき、駆動パルスを供給しない（駆動していない）駆動電極をグランドと同レベルに設定するようになっていると良い。なお、検出部１０のメモリには、増幅信号の上限値が設定されており、増幅信号が上限値を超える場合、検出部１０は飽和状態となる。
【００５１】
タッチ入力装置Ｔは、少なくとも一つの周辺グランド電極５００ａおよび／又は少なくとも一つの周辺グランド電極５００ｂをさらに備えた構成とすることが可能である。なお、周辺グランド電極５００ｂが特許請求の範囲の周辺グランド電極に相当する。なお、図１Ａでは、図示の便宜上、周辺グランド電極５００ａおよび周辺グランド電極５００ｂが省略されているが、図２Ａに周辺グランド電極５００ａが図示され、且つ図２Ｂに周辺グランド電極５００ｂが図示されている。なお、図２Ａでは周辺グランド電極５００ａに、図２Ｂでは周辺グランド電極５００ｂにドットを付しているが、現実に周辺グランド電極５００ａおよび周辺グランド電極５００ｂにドットが付されているわけではないので留意されたい。
【００５２】
少なくとも一つの周辺グランド電極５００ａは、図２Ａに最も良く示されているように、第１高さ位置で第１電極１００ａの周りに配置されていると良い。第１電極１００ａが上記１）又は２）の構成である場合、少なくとも一つの周辺グランド電極５００ａは、第１基材３００ａの第１面上に設けられていると良い。第１電極１００ａが上記３）の構成である場合、少なくとも一つの周辺グランド電極５００ａは、絶縁層のＺ方向の面上に設けられていると良い。少なくとも一つの周辺グランド電極５００ａと第１電極１００ａとの間には、第１引き出し線４００ａが設けられていると良い。少なくとも一つの周辺グランド電極５００ａは、Ｚ−Ｚ’方向において第２引き出し線４００ｂの少なくとも一部に重なるように配置されていても良い。なお、図１Ａおよび図２Ａでは、周辺グランド電極５００ａは複数である。
【００５３】
少なくとも一つの周辺グランド電極５００ｂは、図２Ｂに最も良く示されているように、第２高さ位置で、第２電極１００ｂおよびグランド電極２００ｂの周りに配置されており且つグランド電極２００ｂに接続されていると良い。この場合、少なくとも一つの周辺グランド電極５００ｂおよびグランド電極２００ｂが上記した一つの透明導電膜又は導体で構成されている。第２電極１００ｂおよびグランド電極２００ｂが上記１）又は３）の構成である場合、少なくとも一つの周辺グランド電極５００ｂは、第２基材３００ｂの第１面上に設けられていると良い。第２電極１００ｂおよびグランド電極２００ｂが上記２）の構成である場合、少なくとも一つの周辺グランド電極５００ｂは、第１基材３００ａの第２面上に設けられていると良い。少なくとも一つの周辺グランド電極５００ｂと第２電極１００ｂとの間には、第２引き出し線４００ｂが設けられていると良い。少なくとも一つの周辺グランド電極５００ｂは、Ｚ−Ｚ’方向において第１引き出し線４００ａの少なくとも一部に重なるように配置されていても良い。なお、図１Ａおよび図２Ｂでは、周辺グランド電極５００ｂは複数である。なお、周辺グランド電極５００ａおよび／又は周辺グランド電極５００ｂは省略可能である。
【００５４】
タッチ入力装置Ｔは、少なくとも一つの第３引き出し線６００ａおよび／又は少なくとも一つの第４引き出し線６００ｂをさらに備えた構成とすることが可能である。少なくとも一つの第３引き出し線６００ａは、少なくとも一つの周辺グランド電極５００ａに接続されていると良い。少なくとも一つの周辺グランド電極５００ａは第１基材３００ａの第１面上に設けられている場合、少なくとも一つの第３引き出し線６００ａも第１基材３００ａの第１面上に設けられていると良い。少なくとも一つの周辺グランド電極５００ａが絶縁層のＺ方向の面上に設けられている場合、少なくとも一つの第３引き出し線６００ａも、絶縁層のＺ方向の面上に設けられていると良い。
【００５５】
少なくとも一つの第４引き出し線６００ｂは、少なくとも一つの周辺グランド電極５００ｂに接続されていると良い。少なくとも一つの周辺グランド電極５００ｂが第２基材３００ｂの第１面上に設けられている場合、少なくとも一つの第４引き出し線６００ｂも第２基材３００ｂの第１面上に設けられていると良い。少なくとも一つの周辺グランド電極５００ｂが第１基材３００ａの第２面上に設けられている場合、少なくとも一つの第４引き出し線６００ｂも第１基材３００ａの第２面上に設けられていると良い。第３引き出し線６００ａおよび第４引き出し線６００ｂも検出部１０に直接的又は外部接続部２０を介して間接的に接続可能である。なお、周辺グランド電極５００ａおよび／又は周辺グランド電極５００ｂは省略可能である。
【００５６】
タッチ入力装置Ｔの別の態様では、図３に示すように、複数のダミー電極２００ａをさらに備えた構成とすることが可能である。なお、図３では、第１電極１００ａ、ダミー電極２００ａおよび周辺グランド電極５００ａにドットを付して区別しやすくしているが、現実に第１電極１００ａ、ダミー電極２００ａおよび周辺グランド電極５００ａにドットが付されているわけではないので留意されたい。
【００５７】
ダミー電極２００ａは、第１高さ位置で隣り合う第１電極１００ａ間に互いに僅かな間隙をあけて配置されている。ダミー電極２００ａは隣り合う第１電極１００ａに対して各々僅かな間隙を有している。第１電極１００ａが上記１）又は２）の構成である場合、ダミー電極２００ａは、第１基材３００ａの第１面上に設けられていると良い。第１電極１００ａが上記３）の構成である場合、ダミー電極２００ａは、絶縁層のＺ方向の面上に設けられていると良い。
【００５８】
第１電極１００ａおよびダミー電極２００ａが配置される第１高さ位置の第１電極領域の面積のうち、第１電極１００ａおよびダミー電極２００ａが占める面積は、８０％〜９９％とすると良い。換言すると、第１電極領域の面積のうち、第１電極１００ａおよびダミー電極２００ａの間の間隙およびダミー電極２００ａ間の間隙が占める面積は、２０％〜１％とすると良い。なお、第１電極領域は、第１電極１００ａのＹ方向の最も端と、第１電極１００ａのＹ’方向の最も端と、最もＸ方向の端のダミー電極２００ａと、最もＸ’方向の端のダミー電極２００ａとによって区画することができるが、これはあくまで一例であり、第１電極領域は任意に区画できる。なお、ダミー電極２００ａは省略可能である。
【００５９】
以上のようなタッチ入力装置Ｔによる場合、以下の技術的特徴および効果を奏する。第１に、タッチ入力装置Ｔの検出感度を向上させることができる。その理由は以下の通りである。１）第２電極１００ｂの幅狭部１２０ｂが第１電極１００ａの第１重畳部１１１ａに各々重なっているので、両者の重なり面積が小さい。しかも、グランド電極２００ｂがグランド接続されている場合、２−１）又は２−２）のとおりとなる。２−１）グランド電極２００ｂの第２部２２０ｂの各々は、第２空き領域α２内で上記二つの幅狭部１２０ｂに僅かな間隙を有して各々配置され、且つ第２重畳部１１２ａに各々重なっている。この場合、第２部２２０ｂの各々によって、第１電極１００ａの第２重畳部１１２ａと、上記二つの幅狭部１２０ｂとの何れか一方から生じる電気力線が吸収される。２−２）グランド電極２００ｂの第２部２２０ｂの各々は、第２空き領域α２内で上記二つの幅狭部１２０ｂおよび上記四つの幅広部１１０ｂに僅かな間隙を有して各々配置され、且つ第２重畳部１１２ａに各々重なっている。この場合、第２部２２０ｂの各々によって、第１電極１００ａの第２重畳部１１２ａと、上記二つの幅狭部１２０ｂとの何れか一方から生じる電気力線が吸収されると共に、第１電極１００ａの第２重畳部１１２ａと、上記四つの幅広部１１０ｂとの何れか一方から生じる電気力線が吸収される。この１）、１）および２−１）、又は、１）および２−２）によって、交差する第１電極１００ａと第２電極１００ｂとの各々の静電容量値を小さくすることができるので、第１、第２電極１００ａ、１００ｂの一方の電極の出力信号が、検出部１０に入力され、検出部１０によって増幅されたとしても、増幅された信号が検出部１０の上限値を超える可能性を低減することができる。よって、一方の電極の出力信号を大きく増幅させることが可能になるので、タッチ入力装置Ｔの感度を向上させることが可能になる。
【００６０】
第２に、グランド電極２００ｂの第１部２１０ｂが隣り合う第２電極１００ｂの幅広部１１０ｂ間に各々配置されているので、隣り合う第２電極１００ｂの幅広部１１０ｂの静電結合を低減することができる。
【００６１】
第３に、上記第１の技術的特徴の１）、１）および２−１）、又は、１）および２−２）によって、交差する第１電極１００ａと第２電極１００ｂとの各々の静電容量値が小さくなりすぎる場合がある。しかし、第１電極１００ａが複数の第１枝部１２０ａを各々有する場合、第１枝部１２０ａの各々の長さおよび／又は幅を調整し、設定することで、交差する第１電極１００ａと第２電極１００ｂの各々の重なり面積を大きくし、第１電極１００ａと第２電極１００ｂとの各々の静電容量値を増加させることができる。よって、交差する第１電極１００ａと第２電極１００ｂとの各々の静電容量値を所望の値にすることが可能になる。
【００６２】
第４に、上記第１の技術的特徴の２−２）によって、上記四つの幅広部１１０ｂとこれに対応する第２重畳部１１２ａとの何れかの電気力線が第２部２２０ｂに吸収される場合、この部分の感度が、第２電極１００ｂの幅狭部１２０ｂと第１電極１００ａの第１重畳部１１１ａとの部分（交差部）の感度よりも低くなることがある。しかし、第１電極１００ａが複数の第２枝部１３０ａを各々有する場合、第２枝部１３０ａと四つの幅広部１１０ｂのうちの少なくとも二つの幅広部１１０ｂとが静電結合するため、第２枝部１３０ａ周辺の感度を向上させることができる。第２枝部１３０ａの各々の長さおよび／又は幅を調整し、設定することで、第２枝部１３０ａ周辺の感度と前記交差部との感度を略同じとすることも可能である。
【００６３】
第５に、グランド電極２００ｂが周辺グランド電極５００ｂに接続されている場合、グランド電極２００ｂをグランド接続するための配線が不要になる。よって、第２引き出し線４００ｂの配線の自由度が向上する。
【００６４】
第６に、タッチ入力装置Ｔに対するＺ’方向からの電磁的な干渉（例えば、画像表示装置Ｄから生じるノイズ等の干渉）を低減できる。その理由は以下の通りである。第２電極１００ｂの幅狭部１２０ｂのＸ−Ｘ’方向の寸法およびグランド電極２００ｂの第２部２２０ｂのＸ−Ｘ’方向の寸法が、第１電極１００ａの電極本体１１０ａのＸ−Ｘ’方向の寸法よりも大きい場合、第２電極１００ｂの幅狭部１２０ｂおよびグランド電極２００ｂの第２部２２０ｂが電極本体１１０ａをＺ’方向から覆う。この第２電極１００ｂの幅狭部１２０ｂおよびグランド電極２００ｂの第２部２２０ｂによって、第１電極１００ａの電極本体１１０ａに対するＺ’方向からの電磁的な干渉を低減できる。また、第１電極１００ａが第２枝部１３０ａを有している場合、グランド電極２００ｂの第１部２１０ｂのＹ−Ｙ’方向の寸法を第１電極１００ａの第２枝部１３０ａのＹ−Ｙ’方向の寸法よりも大きし、グランド電極２００ｂの第１部２１０ｂが第１電極１００ａの第２枝部１３０ａをＺ’方向側から覆うことが可能である。この場合、グランド電極２００ｂの第１部２１０ｂによって、第２枝部１３０ａに対するＺ’方向からの電磁的な干渉を低減できる。また、第２高さ位置の第２電極領域の面積のうち、第２電極１００ｂおよびグランド電極２００ｂが占める面積を９０％〜９９％とした場合、第２電極領域の殆どの領域が、第２電極１００ｂおよびグランド電極２００ｂに占有されていることになる。この場合、第２電極１００ｂおよびグランド電極２００ｂによって、第１電極１００ａに対するＺ’方向からの電磁的な干渉を低減できる。なお、上記したように検出部１０により、駆動されていない第２電極１００ｂをグランドと同レベルにされることによって、この第６の技術的特徴および効果は、向上する。
【００６５】
第７に、第２電極１００ｂおよびグランド電極２００ｂが設けられた基材に歪みが生じる可能性を低減できる。その理由は以下の通りである。図示しない比較例のタッチ入力装置において、基材上に電極が短冊状（ストリップライン状）に設けられている場合、基材には電極が設けられていない領域と設けられている領域とが交互に存在する。このため、基材の電極が設けられた領域と、基材の電極が設けられていない領域とで熱膨張および／又は熱収縮量に差が生じ、電極の形に応じて基材が歪むことがある。しかし、タッチ入力装置Ｔは、第２電極１００ｂが複数の幅広部１１０ｂおよび複数の幅狭部１２０ｂを有しており、且つ上記隣り合う第２電極１００ｂ間にグランド電極２００ｂが設けられているので、第２電極１００ｂおよびグランド電極２００ｂが設けられた基材に歪みが生じ難くなる。また、第２電極領域の面積の９０％〜９９％を第２電極１００ｂおよびグランド電極２００ｂで占有するようにすれば、第２電極１００ｂおよびグランド電極２００ｂで占有されていない領域が殆どないため、第２電極１００ｂおよびグランド電極２００ｂが設けられた基材により歪みが生じ難くなる。なお、第２電極領域と同様に、第１電極領域の面積の８０％〜９９％を第１電極１００ａおよびダミー電極２００ａで占有した場合、第１電極１００ａおよびダミー電極２００ａが設けられた基材に歪みが生じ難くなる。
【００６６】
第８に、タッチ入力装置Ｔがダミー電極２００ａを備えている場合、タッチ入力装置Ｔに対するＺ方向からの電磁的な干渉（タッチ入力装置Ｔの外部機器から電磁的な干渉）を低減できる。第１電極領域の面積の８０％〜９９％を第１電極１００ａおよびダミー電極２００ａで占有した場合、この第８の技術的特徴および効果は向上する。
【００６７】
なお、上記したタッチ入力装置は、上記実施例に限定されるものではなく、特許請求の範囲の記載範囲において任意に設計変更することが可能である。以下、詳しく述べる。
【００６８】
本発明の第１基材と第２基材との間には、少なくとも一つの第３基材が設けられていても良い。
【００６９】
本発明の第１引き出し線は、第１高さ位置と異なる高さ位置に設けられていても良い。この場合、第１引き出し線が基材のスルーホール電極等の第１接続手段を介して第１電極に各々接続されている良い。本発明の第２引き出し線は、第２高さ位置と異なる高さ位置に設けられていても良い。この場合、第２引き出し線が基材のスルーホール電極等の第２接続手段を介して第２電極に各々接続されていると良い。また、本発明では、第１引き出し線および／又は第２引き出し線に代えて、ピンやケーブル等の別の接続手段が第１電極および／又は第２電極に接続されていても良い。なお、本発明の第３および／又は第４引き出し線は、本発明の第１引き出し線等と同様に設計変更することが可能である。
【００７０】
本発明のタッチ入力装置が少なくとも部分的に曲面状に湾曲している場合、本発明の第１高さ位置は、少なくとも部分的に曲面状に湾曲した第１基材３００ａの第１面又は絶縁層のＺ方向の面上の位置とすることが可能であり、本発明の第２高さ位置は、少なくとも部分的に曲面状に湾曲した第２基材３００ｂの第１面又は第１基材３００ａの第２面上の位置とすることが可能である。
【００７１】
なお、上記実施例の各態様および設計変形例におけるタッチ入力装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向は、本発明の第１電極の配列方向である限り任意に設定可能である。本発明の第２方向は、第１方向に交差する限り任意に設定可能である。本発明のＺ−Ｚ’方向（第３方向）は、第１方向および第２方向に交差しており且つ第１方向および第２方向が位置する平面上に位置しない限り任意に設定することができる。
【符号の説明】
【００７２】
Ｔ：タッチ入力装置
１００ａ：第１電極
１１０ａ：電極本体
１１１ａ：第１重畳部
１１２ａ：第２重畳部
１２０ａ：第１枝部
１３０ａ：第２枝部
１００ｂ：第２電極
１１０ｂ：幅広部
１１１ｂ：第１幅広部
１１２ｂ：第２幅広部
１２０ｂ：幅狭部
２００ａ：ダミー電極
２００ｂ：グランド電極
２１０ｂ：第１部
２２０ｂ：第２部
３００ａ：第１基材
３００ｂ：第２基材
４００ａ：第１引き出し線
４００ｂ：第２引き出し線
５００ａ：周辺グランド電極
５００ｂ：周辺グランド電極
６００ａ：第３引き出し線
６００ｂ：第４引き出し線
７００：粘着層
Ｐ：カバーパネル
１０：検出部
２０：外部接続部
Ｄ：画像表示装置
【図１Ａ】
2018072915.tif 000003
【図１Ｂ】
2018072915.tif 000004
【図１Ｃ】
2018072915.tif 000005
【図２Ａ】
2018072915.tif 000006
【図２Ｂ】
2018072915.tif 000007
【図３】
2018072915.tif 000008